(57)【特許請求の範囲】
【請求項１】
被測定電流が流れる複数の導体と、
前記被測定電流が発生する誘導磁界を測定する磁気センサと、
前記導体と前記磁気センサとを収容する収容空間を一体となって形成するケースおよび蓋と、
前記蓋および前記ケースの少なくとも一方に形成され、前記複数の導体の各々に対応して設けられた複数の端子電極を前記収容空間の外側に連通させるための開口部と、
を有し、
前記複数の端子電極は、直線方向に配置され、
前記端子電極は、
前記開口部に直交する方向から見た平面視において、
前記直線方向に対して９０°以外の所定の角度を形成する第１の辺と、前記直線方向と略直交する第２の辺とを有し、
前記第１の辺は、前記直線方向における一方側で隣接する前記端子電極の前記第１の辺と平行である
電流センサ。
【請求項２】
前記端子電極は、前記導体の前記蓋側の一端部を折り曲げて形成されている
請求項１に記載の電流センサ。
【請求項３】
前記端子電極の前記第２の辺は、他方側で隣接する前記端子電極の前記第２の辺と平行である
請求項１または請求項２に記載の電流センサ。
【請求項４】
前記複数の端子電極は一直線状に設けられている
請求項１〜３のいずれかに記載の電流センサ。
【請求項５】
前記端子電極は孔を有し、
前記端子電極に接触し、前記孔と一致した開口部を備えた金属製のナットを有し、
前記ナットは、相手側端子を前記導体と電気的に接触させるための端子電極の一部を構成し、
前記端子電極の孔と前記ナットのナット開口部との中心が一直線状に位置している
請求項１〜４のいずれかに記載の電流センサ。
【請求項６】
前記複数の端子電極のそれぞれに対応した複数の前記ナットが同一直線上に等間隔に配されている
請求項５に記載の電流センサ。
【請求項７】
一端が前記第１の辺の一端、他端が前記第２の辺の一端となる第３の辺を有し、
前記第１の辺、前記第２の辺および前記第３の辺と、前記ナットの中心との距離が等しい請求項１〜６のいずれかに記載の電流センサ。
【請求項８】
前記端子電極は、
一端が前記第１の辺の他端となり、前記第２の辺と平行な第４の辺と、
前記第４の辺の他端と前記第２の辺の他端とを結び前記第３の辺と平行であり前記第３の辺より長い第５の辺と
を有し、
前記第５の辺は、前記第３の辺に比べて前記ナットの中心から遠い位置にある
請求項７に記載の電流センサ。
【請求項９】
複数の前記導体と、  前記被測定電流の各々に対応して設けられ、前記被測定電流が発生する誘導磁界を測定する複数の前記磁気センサと
を有する請求項１〜８のいずれかに記載の電流センサ。
【請求項１０】
前記複数の端子電極の数は偶数である
請求項１〜８のいずれかに記載の電流センサ。
【請求項１１】
前記蓋は、前記端子電極を前記ケースの外側に連通させるための蓋開口部を有する
を有する請求項１〜９のいずれかに記載の電流センサ。
【発明の詳細な説明】
【技術分野】
【０００１】
本発明は、被測定電流が発生する磁界を測定する電流センサに関するものである。
【背景技術】
【０００２】
多相の複数の導体を流れる被測定電流を磁気センサを用いて検出する電流センサがある。
このような電流センサでは、複数の導体のそれぞれの端部に設けられた端子電極を一直線状に配置している。
従来では、端子電極は、平面視で略長方形状をしている。
【先行技術文献】
【特許文献】
【０００３】
【特許文献１】特開２０１４−６１１６号公報
【発明の概要】
【発明が解決しようとする課題】
【０００４】
ところで、被測定電流が流れる導体は、電気抵抗を下げる為、できるだけ幅を広くしたいという要請がある。
しかしながら、従来では、端子電極の幅と導体の幅とが同じであるため、端子電極の間隔以上に導体の幅を広げることができず、小型化が難しいという問題がある。
【０００５】
本発明はかかる事情に鑑みてなされたものであり、その目的は、導体の幅を広げ、小型化が可能な電流センサを提供することにある。
【課題を解決するための手段】
【０００６】
本発明の電流センサは、被測定電流が流れる複数の導体と、前記被測定電流が発生する誘導磁界を測定する磁気センサと、前記導体と前記磁気センサとを収容する収容空間を一体となって形成するケースおよび蓋と、前記蓋および前記ケースの少なくとも一方に形成され、前記複数の導体の各々に対応して設けられた複数の端子電極を前記収容空間の外側に連通させるための開口部とを有し、前記複数の端子電極は、直線方向に配置され、前記端子電極は、前記開口部に直交する方向から見た平面視において、前記直線方向に対して９０°以外の所定の角度を形成する第１の辺と、前記直線方向と略直交する第２の辺とを有し、前記第１の辺は、前記直線方向における一方側で隣接する前記端子電極の前記第１の辺と平行である。
【０００７】
この構成によれば、前記第１の辺を前記直線方向と直交させた場合と比較して、隣接する前記導体が直線方向で重なり合うため、その分、上記直線方向における導体の幅を長くでき、電気抵抗を低く保ちながら小型化が図れる。また、前記複数の端子電極の形状を同一にすることが可能であり、電気的抵抗等の特性を均一にできる。
【０００８】
好適には本発明の電流センサの前記端子電極は、前記導体の前記蓋側の一端部を折り曲げて形成されている。
この構成によれば、前記端子電極を簡単な工程で形成できる。また、導線を折り曲げる位置では、導線の幅が一定なので、折り曲げ精度を高めることができる。
【０００９】
好適には本発明の電流センサの前記端子電極の前記第２の辺は、他方側で隣接する前記端子電極の前記第２の辺と平行である。
この構成によれば、前記複数の端子電極の前記直線方向の距離を短くすることが可能になる。
【００１０】
好適には本発明の前記複数の端子電極は一直線状に設けられている。
この構成によれば、導体の位置決めが容易になり、製造工程を簡単にできる。
【００１１】
好適には本発明の電流センサは、前記端子電極は孔を有し、前記端子電極に接触し、前記孔と一致した開口部を備えた金属製のナットを有し、前記ナットは、相手側端子を前記導体と電気的に接触させるための端子電極の一部を構成し、前記端子電極の孔と前記ナットのナット開口部との中心が一直線状に位置している。
この構成によれば、前記ナットが前記端子電極の一部を構成するようになり、端子電極と相手側端子との接触面積を増やして、接合部の電気抵抗を小さくできる。
【００１２】
好適には本発明の電流センサは、前記複数の端子電極のそれぞれに対応した複数の前記ナットが同一直線上に等間隔に配されている。
この構成によれば、ナットの位置決めが容易になり、製造工程を簡単にできる。
【００１３】
好適には本発明の電流センサは、一端が前記第１の辺の一端、他端が前記第２の辺の一端となる第３の辺を有し、前記第１の辺、前記第２の辺および前記第３の辺と、前記ナットの中心との距離が等しい。
この構成によれば、ナットの中心を端子電極の中心近くにでき、端子電極の電気的特性を良好にできる。
【００１４】
好適には本発明の前記端子電極は、一端が前記第１の辺の他端となり、前記第２の辺と平行な第４の辺と、前記第４の辺の他端と前記第２の辺の他端とを結び前記第３の辺と平行であり前記第３の辺より長い第５の辺とを有し、前記第５の辺は、前記第３の辺に比べて前記ナットの中心から遠い位置にある。
この構成によれば、複数の端子電極を上記直線方向において小さい領域に効率的に配置できる。
【００１５】
好適には本発明の電流センサは、複数の前記導体と、前記被測定電流の各々に対応して設けられ、前記被測定電流が発生する誘導磁界を測定する複数の前記磁気センサとを有する。
この構成によれば、多相の導体に流れる電流を測定できる。
【００１６】
好適には本発明の電流センサの前記複数の端子電極の数は偶数である。
この構成によれば、一直線状に配置した複数の端子電極の両端が第２の辺となり、一直線状の直線方向に直交させることができ、端子電極を配置するスペース効率を高めることができる。
【００１７】
好適には本発明の電流センサの前記蓋は、前記端子電極を前記ケースの外側に連通させるための蓋開口部を有する。
【発明の効果】
【００１８】
本発明によれば、導体の幅を広げ、小型化が可能な電流センサを提供することができる。
【図面の簡単な説明】
【００１９】
【図１】図１は本発明の実施形態の電流センサの外観斜視図である。
【図２】図２は図１に示す電流センサの蓋側から見た分解斜視図である。
【図３】図３は図１に示す電流センサのケース側から見た分解斜視図である。
【図４】図４は図１に示す蓋をＺ２方向から見た正面図である。
【図５】図５は蓋磁気シールドと一体成形された蓋をＺ１方向から見た底面図である。
【図６】図６は蓋磁気シールドと一体成形された蓋をＸ２方向から見た側面図である。
【図７】図７は蓋磁気シールド２１と一体成形された蓋を底面側斜め方向から見た斜視図である。
【図８】図８は、本発明の実施形態の電流センサのＺ２方向から見た正面図である。
【図９】図９は、図１に示す電流センサのケースの外観斜視図である。
【図１０】図１０は、図１に示す位置決め部の電極収容部の形状を説明するための図である。
【図１１】図１１は、図１に示す電流センサの図１に示す断面線Ａ−Ａにおける断面図である。
【図１２】図１２は、図１に示す電流センサの導体の外観斜視図である・
【図１３】図１３は、第１の端子電極、蓋磁気シールドおよび電極収容部の位置関係を説明するための図である。
【図１４】図１４は、蓋および蓋磁気シールドを外した状態の電流センサの外観斜視図である。
【図１５】図１５は、本発明の実施形態の第１の端子電極を説明するための図である。
【発明を実施するための形態】
【００２０】
以下、本発明の実施形態の電流センサについて説明する。
図１は、本発明の実施形態の電流センサ１の外観斜視図、図２は図１に示す電流センサ１の蓋１１側から見た分解斜視図、図３は図１に示す電流センサ１のケース１３側から見た分解斜視図である。
図１〜図３に示すように、本実施形態では、蓋１１の短手方向をＸ１−Ｘ２方向とし、蓋１１の長手方向をＹ１−Ｙ２方向とし、蓋１１の面と直交する方向をＺ１−Ｚ２方向としている。
【００２１】
図４は蓋１１をＺ２方向から見た正面図、図５は蓋磁気シールド２１と一体成形された蓋１１をＺ１方向から見た底面図、図６は蓋磁気シールド２１と一体成形された蓋１１をＸ２方向から見た側面図、図７は蓋磁気シールド２１と一体成形された蓋１１を底面側斜め方向から見た斜視図である。
【００２２】
図１〜図３に示すように、電流センサ１は、例えば、蓋１１、ケース１３、蓋磁気シールド２１、導電性ナット２３、回路基板２５、磁気センサ２７、導体（電流路）２９、ケース磁気シールド３１を有する。
【００２３】
電流センサ１では、被測定電流が流れる複数の導体２９と、被測定電流が発生する誘導磁界を測定する磁気センサ２７と、導体２９と磁気センサ２７とを収容する収容空間８を一体となって形成するケース１３および蓋１１と、蓋１１およびケース１３の少なくとも一方に形成され、複数の導体２９の各々に対応して設けられた直線状に配置された複数の第１の端子電極２９ａを収容空間８の外側に連通させるための第２の開口部（蓋開口部）４１とを有する。
【００２４】
第１の端子電極２９ａは、第２の開口部４１に直交する方向から見た平面視（Ｚ２方向）において、第１の端子電極２９ａが配置された直線方向に対して９０°以外の所定の角度を形成する第１の辺２９１と、当該直線方向と略直交する第２の辺２９２とを有する。ここで、第１の辺２９１は、上記直線方向における一方側で隣接する第１の端子電極２９ａの第１の辺２９１と平行である。
電流センサ。
【００２５】
この構成によれば、第１の端子電極２９ａの第１の辺２９１を上記直線方向と直交させた場合と比較して、隣接する導体２９が直線方向で重なり合うため、その分、上記直線方向における導体２９の幅を長くでき、電気抵抗を低く保ちながら小型化が図れる。また、複数の第１の端子電極２９ａの形状を同一にすることが可能であり、電気的抵抗等の特性を均一にできる。
【００２６】
以下、電流センサ１の構成を詳細に説明する。
図３、図５、図６および図７に示すように、蓋１１には底面側に露出するように６個の蓋磁気シールド２１が一体成形によって組み込まれている。蓋磁気シールド２１は、空気より透磁率が高い。
蓋１１の中央には、導体２９の第１の端子電極２９ａを外側に連通させるための第２の開口部４１が形成されている。
第２の開口部４１は、後述するように、ケース１３の位置決め部５１の外縁部５１ａと係合して、蓋１１とケース１３とを高精度に位置決めする機能を有している。
【００２７】
第２の開口部４１のＸ１−Ｘ２方向両側には、それぞれＹ１−Ｙ２方向に沿って３つの蓋磁気シールド２１が組み込まれている。蓋１１は絶縁性の部材で構成されている。
上述したように、蓋磁気シールド２１は、蓋１１の成形時に一体成形されるため、蓋１１の予め規定された位置に高精度に位置決めされている。
【００２８】
図１に示すように、蓋１１の第２の開口部４１には、ケース１３の６つの位置決め部５１が直線状に等間隔に位置し、位置決め部５１の端面５１ｃが外側に露出している。
図４〜図７に示すように、第２の開口部４１は、蓋１１に直交するＺ１−Ｚ２方向から見た平面視において凹多角形である。
第２の開口部４１は、Ｙ１−Ｙ２方向に沿った中心軸Ｌ１に対してＸ１，Ｘ２方向の側のそれぞれに、Ｘ１．Ｘ２方向の複数の凸部４１ａおよび凹部４１ｂを有する。
凸部４１ａおよび凹部４１ｂのＹ１―Ｙ２方向の位置は、Ｘ１側とＸ２側とでは異なる。
【００２９】
図４に示すように、蓋１１の上記凹多角形の複数の頂点の内角は、約９０度又は約２７０度である。
上記凹多角形の複数の頂点の内角が９０度未満や、２７０度より大きい角だと、先端より根元が狭くなるので、破損しやすい。上述したように、蓋１１の凹多角形の頂点の内角が９０度又は２７０度であれば、位置精度が高まり、かつ、破損し難くすることができる。
【００３０】
図８は、電流センサ１のＺ２方向から見た正面図である。図９は、電流センサ１のケース１３の外観斜視図である。
図８および図９に示すように、位置決め部５１は、ケース１３の底面から蓋１１に向けて突き出ている。ケース１３は、例えば、樹脂などの絶縁性部材で形成されている。
ケース１３の位置決め部５１の蓋１１側の外縁部５１ａは、第２の開口部４１と同じ凹多角形であり、第２の開口部４１内に嵌合される。
外縁部５１ａは、図４に示す第２の開口部４１の凸部４１ａと嵌め合う凹部５１ａ１と、凹部４１ｂと嵌め合う凸部５１ａ２とを有する。
【００３１】
蓋１１の第２の開口部４１と、位置決め部５１の外縁部５１ａとの間に、測定精度に与えない程度の微小な隙間(各種寸法等にもよるが例えば０．１ｍｍ以下)を設けて、ケース１３に蓋１１を取り付けやすくしても良い。
【００３２】
図１に示すように、外縁部５１ａのＺ１側の端面５１ｃは、蓋１１のＺ１側の表面１１ａに比べてＺ１方向に突き出ている。端面５１ｃは、蓋１１の上面より高い必要は無い。
６つの位置決め部５１は、Ｙ１−Ｙ２方向の直線状に位置する。位置決め部５１は、導体２９の第１の端子電極２９ａを固定して収容する凹型の電極収容部５１ｄを有している。本次では、６相を例示するが、相の数は任意である。
【００３３】
図１０は、図１に示す位置決め部５１の電極収容部５１ｄの形状を説明するための図である。
電極収容部５１ｄは、Ｚ２方向から見た平面視において、Ｙ１−Ｙ２方向に対して所定の角度を形成する第１の辺５１１と、Ｘ１−Ｘ２方向に延在する第２の辺５１２とを有する。
第１の辺５１１は、一方側で隣接する位置決め部５１の第１の辺５１１と平行である。
【００３４】
電極収容部５１ｄの第２の辺５１２は、他方側で隣接する位置決め部５１の第２の辺５１２と平行である。
電極収容部５１ｄは、一端が第１の辺５１１の一端、他端が第２の辺５１２の一端となり、Ｙ１−Ｙ２方向に延在する第３の辺５１３を有する。
第１の辺５１１、第２の辺５１２および第３の辺５１３と、導電性で円筒形状のナット２３のナット開口部２３ａの中心との距離が等しい。
【００３５】
電極収容部５１ｄは、一端が前記第１の辺５１１の他端となり、Ｘ１−Ｘ２方向に延在する平行な第４の辺５１４を有する。
電極収容部５１ｄは、第４の辺５１４の他端と、第２の辺の他端５１２とを結びＹ１−Ｙ２方向に延在する第５の辺５１５を有する。
【００３６】
電極収容部５１ｄには、導体２９の第１の端子電極２９ａがＺ１表面側において面一になるように位置している。
ケース１３は、図１に示すように電極収容部５１ｄに第１の端子電極２９ａが収容されるように導体２９と一体成形される。ケース１３には導体２９が一体成形されている。そのため、ケース１３と導体２９とは高精度に位置決めされている。
【００３７】
図１１は、電流センサ１の図１に示す断面線Ａ−Ａにおける断面図である。
図１１に示すように、ケース１３には、ケース磁気シールド３１が一体成形により組み込まれている。そのため、ケース１３とケース磁気シールド３１との位置決めは高精度に行われている。また、ケース１３の小型化も可能になる。
【００３８】
図９に示すように、ケース１３の対向する２つの側面の電極収容部５１ｄと対応する位置には、６つの導体２９の第１の端子電極２９ａと反対側をケース１３の外側に位置させるために、第１の端子電極２９ａを連通する６つの第３の開口部１３ａが形成されている。
【００３９】
位置決め部５１は、蓋１１と係合し、蓋１１の面方向（Ｘ−Ｙ）における蓋１１の移動を規制する面方向と直交する方向（Ｚ方向）の段差を備えた段差部５１ｆを有する。段差部５１ｆを設けたことで、蓋１１とケース１３との高さ方向（Ｚ１−Ｚ２方向）の位置精度を高めることができる。
【００４０】
図１２は、導体２９の外観斜視図である・
図１２に示すように、導体２９は、一端部に第１の端子電極２９ａ、他端部に第２の端子電極２９ｂを有する。
導体２９は、屈曲部２９ｃを有する。導体２９の屈曲部２９ｃに対して第１の端子電極２９ａ側が第１の導体２９ｄ、屈曲部２９ｃに対して第２の端子電極２９ｂが側が第２の導体２９ｅとなる。
第１の導体２９ｄはＺ１−Ｚ２方向に延在し、第２の導体２９ｅはＸ１−Ｘ２方向に延在している。
また、第１の端子電極２９ａの中央には孔２９ａ１が形成されている。
【００４１】
導体２９の第１の端子電極２９ａは、Ｚ２方向から見た平面視において、Ｙ１−Ｙ２方向に対して所定の角度を形成する第１の辺２９１と、Ｘ１−Ｘ２方向に延在する第２の辺２９２とを有する。
第１の辺２９１は、一方側で隣接する導体２９の第１の辺２９１と平行である。
【００４２】
第１の端子電極２９ａの第２の辺２９２は、他方側で隣接する導体２９の第２の辺２９２と平行である。
第１の端子電極２９ａは、一端が第１の辺２９１の一端、他端が第２の辺２９２の一端となり、Ｙ１−Ｙ２方向に延在する第３の辺２９３を有する。
第１の辺２９１、第２の辺２９３および第３の辺２９３と、導電性で円筒形状のナット２３の中心との距離が等しい。
【００４３】
第１の端子電極２９ａは、一端が前記第１の辺２９１の他端となり、Ｘ１−Ｘ２方向に延在する平行な第４の辺２９４を有する。
第１の端子電極２９ａは、第４の辺２９４の他端と、第２の辺の他端２９２とを結びＹ１−Ｙ２方向に延在する第５の辺２９５を有する。
【００４４】
第１の端子電極２９ａの第１の辺２９１、第２の辺２９２、第３の辺２９３、第４の辺２９４および第５の辺２９５は、電極収容部５１ｄの第１の辺５１１、第２の辺５１２、第３の辺５１３、第４の辺５１４および第５の辺５１５と対向して係合している。
第１の端子電極２９ａは、導体２９をケース１３に一体成形で組み込む際に、電極収容部５１ｄ内に固定される。
【００４５】
第１の端子電極２９ａには、引出配線が固定されるが、各相の引出配線は、対応する相の上に位置するように配線されることが好ましい。これにより、隣接する相の電流による影響を小さくできる。
【００４６】
本実施形態では、図８等に示すように、導体２９の第１の端子電極２９ａを先細にしないで矩形状にして横並びとした場合に比べて、Ｙ１−Ｙ２に方向の距離を短くできるい。そのため、外来磁場の影響を悪化させることなく電流センサ１の小型化が可能になると共に、同じサイズの場合に電極の間隔を長くできる。
【００４７】
第１の導体２９ｄは、図１１に示すようにケース１３の第１の規制部１３ｂによってＸ１−Ｘ２方向の移動が規制されている。
また、第２の導体２９ｅは、ケース１３の第２の規制部１３ｃによってＺ１−Ｚ２方向の移動が規制されている。
【００４８】
図１２に示すように、第１の端子電極２９ａは、中央付近に孔２９ａ１を有する。
また、図１０および図１３に示すように、電極収容部５１ｄの凹部の底面には孔５１ｄ１が形成されている。
図１１および図１３に示すように、孔５１ｄ１には導電性で円筒形状のナット３３が当接している。ここで、孔５１ｄ１とナット３３とでは中心軸が一致している。
一直線状に位置する６つの導体２９の第１の端子電極２９ａの孔２９ａ１と、一直線状に位置する６つのナット３３とではそれぞれ中心軸が一致している。
【００４９】
図１４は、蓋１１および蓋磁気シールド２１を外した状態の電流センサ１の外観斜視図である。
図９および図１４に示すように、ケース１３の複数の固定部１３ｅに、ボス２５ａによって回路基板２５が位置決めされて固定されている。
【００５０】
回路基板２５の導体２９側には、導体２９に対応する位置にそれぞれ磁気センサ２７が固定されている。なお、磁気センサ２７としては、例えば、磁気抵抗効果素子やホール素子などを用いることができる。
【００５１】
ケース１３の底面側には、図２および図１１に示すように、６つの導体２９に対応する位置にそれぞれケース磁気シールド３１が一体成形により固定されている。
【００５２】
図１に示すように、図４に示す孔１１ｃにネジ８１を通して、ケース１３のネジ孔１３ｅに固定する。これにより、蓋１１がケース１３に固定される。
【００５３】
電流センサ１は、以下のような製造工程によって製造される。
射出成形等により、蓋磁気シールド２１と蓋１１とを一体成形する。これにより、蓋磁気シールド２１が蓋１１に高精度に位置決めされる。
また、射出成形により、導体２９およびケース磁気シールド３１と、ケース１３とを一体成形する。また、このとき、図１３に示すように、ケース１３の位置決め部５１の電極収容部５１ｄにナット２３が、導体２９の第１の端子電極２９ａと電気的に接合した状態になるように、ナット２３がケース１３と一体成形される。
これにより、導体２９、ケース磁気シールド３１、ケース１３およびナット２３が高精度に位置決めされる。
【００５４】
次に、図１４に示すように、磁気センサ２７を固定した回路基板２５を、ボス２５ａにより、ケース１３の固定部１３ｅに固定する。これにより、回路基板２５がケース１３に高精度に位置決めされる。
【００５５】
次に、蓋１１の第２の開口部４１と、ケース１３の位置決め部５１の電極収容部５１ｄの外縁部５１ａとが位置決めされて、第２の開口部４１が電極収容部５１ｄに嵌め込まれる。そして、図１に示すように、図４に示す孔１１ｃにネジ８１を通して、ケース１３のネジ孔１３ｅに固定する。これにより、蓋１１がケース１３に位置決めされて固定される。
【００５６】
以上説明したように、電流センサ１では、図８および図１２に示すＹ１−Ｙ２方向（直線方向）に対して９０°以外の所定の角度を形成する第１の辺２９１と、当該直線方向と略直交する第２の辺２９２とを有する。ここで、第１の辺２９１は、当該直線方向における一方側で隣接する第１の端子電極２９ａの第１の辺２９１と平行である。また、電流センサ１では、第１の端子電極２９ａの第２の辺２９２は、第１の辺２９１とは他方側で隣接する第１の端子電極２９ａの第２の辺２９２と平行である。
そのため、第１の辺２９１を上記直線方向と直交させた場合の導体の幅Ｌ１（図１５Ａ）と比較して、隣接する導体２９が直線方向で重なり合うため、その分、上記直線方向における導体２９の幅（第５の辺２９５）の長さＬ２を長くでき（図１５Ｂ）、電気抵抗を低く保ちながら小型化が図れる。すなわち。図１５Ａ，図１５Ｂにおいて、Ｌ２＞Ｌ１とできる。また、複数の第１の端子電極２９ａの形状を同一にすることが可能であり、電気的抵抗等の特性を均一にできる。また、複数の第１の端子電極２９ａを同じサイズにでき、電気的な安定性を保てる。
【００５７】
また、第１の端子電極２９ａは、導体２９の蓋１１側の一端部を折り曲げて形成されている。そのため、第１の端子電極２９ａを簡単な工程で形成できる。また、導線２９を折り曲げる位置（第５の辺２９５）では、導線２９の幅が一定なので、折り曲げ精度を高めることができる。
また、電流センサ１では、複数の第１の端子電極２９ａは一直線状に設けられている。そのため、電流センサ１によれば、導体２９の位置決めが容易になり、製造工程を簡単にできる。
【００５８】
また、電流センサ１の第１の端子電極２９ａは、一端が第１の辺２９１の他端となり、第２の辺２９２と平行な第４の辺２９４と、第４の辺２９４の他端と第２の辺２９２の他端とを結び第３の辺２９３と平行であり第３の辺２９３より長い第５の辺２９５を有する。ここで、第５の辺２９５は、第３の辺２９３に比べてナット３３の中心から遠い位置にある。そのため、複数の第１の端子電極２９ａを上記直線方向において小さい領域に効率的に配置できる。
【００５９】
また、電流センサ１では、第１の端子電極２９ａの数は６個、すなわち偶数個である。そのため、一直線状に配置した複数の第１の端子電極２９ａの両端が第２の辺２９２となり、一直線状の直線方向に直交させることができ、第１の端子電極２９ａを配置するスペース効率を高めることができる。
【００６０】
また、電流センサ１によれば、蓋１１の第２の開口部４１と、ケース１３の位置決め部５１との嵌合（係合）により、簡単な構成で蓋１１とケース１３とが高精度に位置決めされる。ここで、導体２９は、回路基板２５、磁気センサ２７はケース１３に位置決めされており、蓋磁気シールド２１は蓋１１に位置決めされているので、導体２９、磁気センサ２７および蓋磁気シールド２１とを高精度に位置決めでき、隣接導体の磁界の影響を抑制して、被検出対象の導体２９の磁界を高精度に検出できる。また、振動は衝撃等による特性劣化を抑えることができる。また、小型化が可能である。
【００６１】
また、電流センサ１では、導体２９がケース１３に一体成形により固定されているため、導体２９とケース１３とを高精度に位置決めできる。
また、電流センサ１では、ケース１３は、収容空間内に磁気センサ２７を搭載した回路基板２５を挿入可能な第１の開口部９を備えているため、導体２９とケース１３とを一体成形した後に、回路基板２５をケース１３内に挿入できる。
【００６２】
また、電流センサ１では、蓋磁気シールド２１が蓋１１に一体成形により組み込まれているため、蓋磁気シールド２１と蓋１１とを高精度に位置決めできる。
【００６３】
また、電流センサ１では、ケース１３にケース磁気シールド３１を一体成形により固定するため、ケース磁気シールド３１を高精度に位置決めして、ケース１３の底部側からのノイズとなる外来磁界の影響を抑制して、導体２９の磁界を高精度に検出できる。
【００６４】
また、電流センサ１では、図１２に示すように、屈曲部２９ｃを設けることで、導体２９の方向を変えることができると共に、図１１に示すように、ケース１３の第１の規制部１３ｂによって導体２９のＸ１−Ｘ２方向の移動を規制し、第２の規制部１３ｃによって導体２９のＺ１−Ｚ２方向の移動を規制できる。
【００６５】
電流センサ１では、蓋１１とケース１３とで形成される収容空間とその外側とを２か所（第２の開口部４１および第３の開口部１３ａ）で連通でき、導体２９の一端と、その反対側を収容空間の外側に位置させることができる。
【００６６】
電流センサ１では、上述したように。導電性の筒状のナット２３の中心軸と導体２９の第１の端子電極２９ａの孔２９ａ１の中心軸とが一致しており、両者が接触している。そのため、ナット２３が第１の端子電極２９ａの一部を構成するようになり、第１の端子電極２９ａと相手側端子との接触面積を増やして、接合部の電気抵抗を小さくできる。
また、複数のナット２３は、直線状に等間隔で設けられているため、ナット２３の位置決めが容易であり、製造工程を容易にできると共に、位置決め精度を高めることができる。
【００６７】
また、電流センサ１では、導体２９の第１の端子電極２９ａは、一端が第１の辺２９１の一端、他端が第２の辺２９２の一端となる第３の辺２９３を有する。そして、第１の辺２９１、第２の辺２９２および第３の辺２９３と、ナット２３のナット開口部２３ａの中心との距離が等しい。そのため、ナット２３のナット開口部２３ａの中心を第１の端子電極２９ａの孔２９ａ１の中心近くに位置させることができ、第１の端子電極２９ａの電気的特性を良好にできる。
【００６８】
電流センサ１では、上述したように、蓋１１の第２の開口部４１と、ケース１３の位置決め部５１の外縁部５１ａとを凹多角形にし、両者を嵌合したことでＸ−Ｙ方向において、蓋１１とケース１３とが相対的に動き難くでき、両者の相対的な位置精度を高めることができる。
【００６９】
ところで、上記記凹多角形の複数の頂点の内角が９０度未満や、２７０度より大きい角だと、先端より根元が狭くなるので、破損しやすい。電流センサ１では、上記凹多角形の内角を９０度又は２７０度にしたことで、位置精度が高まり、かつ、破損し難くすることができる。
【００７０】
電流センサ１では、位置決め部５１が段差部５１ｆを有することで、蓋１１とケース１３との高さ方向（Ｚ１−Ｚ２方向）の位置精度を高めることができる。
【００７１】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した実施形態では、６相の導体を例示したが、導体の数は限定されない。
また、上述した実施形態では、図１２に示すように屈曲部２９ｃを有する導体２９を例示したが屈曲部の有無、並びに屈曲部の数は限定されない。
【産業上の利用可能性】
【００７２】
本発明は、導体を流れる電流の測定に用いられる電流センサに関する。
【符号の説明】
【００７３】
１…電流センサ
８…収容空間
９…第１の開口部
１１…蓋
４１…第２の開口部（蓋開口部）
１３…ケース
５１…位置決め部
５１ａ…外縁部
５１ｃ…端面
５１ｄ…電極収容部
５１ｆ…段差部
５１１…第１の辺
５１２…第２の辺
５１３…第３の辺
５１４…第４の辺
５１５…第５の辺
２１…蓋磁気シールド
２３…ナット
２３ａ…ナット開口部
２５…回路基板
２７…磁気センサ
２９…導体
２９ａ…第１の端子電極
２９ａ１…孔
２９ｂ…第２の端子電極
２９ｄ…第１の導体
２９ｅ…第２の導体
２９１…第１の辺
２９２…第２の辺
２９３…第３の辺
２９４…第４の辺
２９５…第５の辺
３１…ケース磁気シールド
【図１】
0006302454.tif 000002
【図２】
0006302454.tif 000003
【図３】
0006302454.tif 000004
【図４】
0006302454.tif 000005
【図５】
0006302454.tif 000006
【図６】
0006302454.tif 000007
【図７】
0006302454.tif 000008
【図８】
0006302454.tif 000009
【図９】
0006302454.tif 000010
【図１０】
0006302454.tif 000011
【図１１】
0006302454.tif 000012
【図１２】
0006302454.tif 000013
【図１３】
0006302454.tif 000014
【図１４】
0006302454.tif 000015
【図１５】
0006302454.tif 000016